(57)【要約】      （修正有）【課題】継手や仕口の内部構造に現れている技術的、意匠的な価値を、誰もが簡単に味わうことを可能とする照明器具を提供する。【解決手段】照明器具１ａは、透光性を有する材料からなる第１部材１１１と、木造建築で用いられる技法である継手あるいは仕口によって第１部材と接合された第２部材１１２と、第１部材の中に光を透過させる光源１１３と、を備える。【選択図】図１
0003215974.tif 000002
【実用新案登録請求の範囲】
【請求項１】
透光性を有する材料からなる第１部材と、
木造建築で用いられる技法である継手あるいは仕口によって前記第１部材と接合された第２部材と、
前記第１部材の中に光を透過させる光源と、
を備える照明器具。
【請求項２】
請求項１に記載の照明器具であって、
前記第１部材を形成する材料と、前記第２部材を形成する材料が異なるものである、
照明器具。
【請求項３】
請求項２に記載の照明器具であって、
前記第１部材を形成する材料と、前記第２部材を形成する材料の屈折率が異なる、
照明器具。
【請求項４】
請求項１から３のいずれかに記載の照明器具であって、
前記第１部材がアクリル樹脂により形成される、
照明器具。
【請求項５】
請求項１から４のいずれかに記載の照明器具であって、
前記第２部材が木材により形成される、
照明器具。
【請求項６】
請求項１から５のいずれかに記載の照明器具であって、
前記光源がＬＥＤである、
照明器具。
【請求項７】
請求項１から６のいずれかに記載の照明器具であって、
前記光源が前記第１部材に埋設されている、
照明器具。
【考案の詳細な説明】
【技術分野】
【０００１】
本考案は、照明器具に関する。特に、インテリアオブジェ等としても使用できる意匠性の高い照明器具に関する。
【背景技術】
【０００２】
よく知られているように、日本の伝統的な木造建築においては、材木同士が、釘や接着剤等を用いずに、「継手」や「仕口」と呼ばれる技法を用いて組み上げられている。継手は、材木同士を直線的に継ぎ合わせる技法であり、仕口は、材木同士を角度をもって組み合わせる技法である。継手、仕口のいずれにおいても、２本の材木の端部あるいは延在途中を所定の形状に加工し、両形状部分を差したり落とし込んだりして嵌め合わせることによって、両材木を接合する。
【０００３】
継手や仕口の型（形状パターン）は多種多様であるが、いずれも、長い歴史の中で職人達が試行錯誤の末にたどり着いたものであり、年月を経ても材木同士の接合の強度が担保されるようなものとなっているのは勿論のこと、接合部分の外観も美しいものとなっており、技術的にも文化的にも高い価値を有する。
【０００４】
例えば、継手や仕口の型のデザイン性に着目して、これを箸の装飾として利用することが特許文献１に記載されている。
【先行技術文献】
【特許文献】
【０００５】
【特許文献１】特開２０１７−１６９９９６号公報
【考案の概要】
【考案が解決しようとする課題】
【０００６】
継手や仕口による接合部分の外観に現れる幾何学パターンの美しさは、木造建築を鑑賞した誰もが一見してわかるものであるが、実は、該接合部分の内部構造にこそ、強度を保つための技術的な知恵と職人の高い美意識が現れている。ところが、接合部分の内部構造は、材木を接合してしまった後は見えなくなってしまうものであり、職人以外は目にすることができない。
【０００７】
本考案は、上記の課題に鑑みてなされたものであり、継手や仕口の内部構造に現れている技術的、意匠的な価値を、誰もが簡単に味わうことを可能とする技術の提供を目的としている。
【課題を解決するための手段】
【０００８】
本考案は、かかる目的を達成するために、次のような手段を講じたものである。
【０００９】
透光性を有する材料からなる第１部材と、
木造建築で用いられる技法である継手あるいは仕口によって前記第１部材と接合された第２部材と、
前記第１部材の中に光を透過させる光源と、
を備える照明器具。
【００１０】
ここで「透光性を有する材料」は、光が透過できる材料であり、該材料により形成される部材の反対側や内部にあるものの全部あるいは一部が透けて見えるような材料を指す。
また、木造建築で用いられる技法である「継手」や「仕口」とは、２本の材木の端部あるいは延在途中を所定の形状に加工し、両形状部分を差したり落とし込んだりして嵌め合わせることによって、両材木を接合する日本の伝統的な技法である。伝統的な継手や仕口の型は無数に存在しているが、ここではどのような型が用いられてもよい。
【００１１】
上記の構成によると、光源から出射されて第１部材の中を透過した光により、第１部材と第２部材との接合部分の内部構造（すなわち、継手あるいは仕口の内部構造）が露わになるので、継手や仕口の内部構造に現れている技術的、意匠的な価値を、誰もが簡単に味わうことができる。
【００１２】
好ましくは、前記照明器具において、
前記第１部材を形成する材料と、前記第２部材を形成する材料が異なるものである。
【００１３】
ここでいう「異なる材料」には、組成が異なる材料は勿論のこと、同じ組成であっても例えば結晶構造等が異なることにより物性（例えば屈折率）が異なる材料等も含まれる。
【００１４】
上記の構成によると、第１部材と第２部材が異なる材料から形成されるので、両部材の境界（すなわち、両部材の接合部分）が視認しやすいものとなる。
【００１５】
好ましくは、前記照明器具において、
前記第１部材を形成する材料と、前記第２部材を形成する材料の屈折率が異なる。
【００１６】
上記の構成によると、光源から出射されて第１部材の中を透過した光が、第１部材と第２部材との接合部分で反射することにより、該接合部分の内部構造が照らし出される。したがって、継手や仕口の内部構造をより鮮やかに美しく見せることができる。
【００１７】
好ましくは、前記照明器具において、
前記第１部材がアクリル樹脂により形成される。
【００１８】
アクリル樹脂は高い透明性を有するので、第１部材をアクリル樹脂で形成することにより、継手や仕口の内部構造を外部からクリアに見てとることができる。また、アクリル樹脂は、高い耐久性と衝撃に対する強度を有するため、照明器具の耐久性が高まると共に、その取り扱いも容易になる。
【００１９】
好ましくは、前記照明器具において、
前記第２部材が木材により形成される。
【００２０】
継手や仕口は、本来は木造建築に使用される技術であるところ、第２部材を木材で形成することにより、木造建築に使用されている継手や仕口の雰囲気を感じることができる。
【００２１】
好ましくは、前記照明器具において、
前記光源がＬＥＤである。
【００２２】
ＬＥＤは、長寿命であり発熱量が少ない。したがって、光源としてＬＥＤを用いることで、光源の交換頻度を少なくすることができ、照明器具の発熱を抑えることができる。また例えば、ＬＥＤの指向性を利用して、第１部材と第２部材との接合部分に向けて直接光が照射されるようにすることで、接合部分を浮かび上がらせるような視覚的効果をもたらすことができる。
【００２３】
好ましくは、前記照明器具において、
前記光源が前記第１部材に埋設されている。
【００２４】
この構成によると、照明器具の全体の外観をシンプルで美しいものとすることができる。
【考案の効果】
【００２５】
本考案によると、光源から出射されて第１部材の中を透過した光により、第１部材と第２部材との接合部分の内部構造（すなわち、継手あるいは仕口の内部構造）が露わになるので、継手や仕口の内部構造に現れている技術的、意匠的な価値を、誰もが簡単に味わうことができる。
【図面の簡単な説明】
【００２６】
【図１】「追いかけ大栓継ぎ」を用いた照明器具の斜視図。
【図２】図１に示される照明器具の各側面図。
【図３】「腰かけかま継ぎ」を用いた照明器具の斜視図。
【図４】図３に示される照明器具の各側面図。
【図５】「柱継手」を用いた照明器具の斜視図。
【図６】図５に示される照明器具の各側面図。
【図７】「大阪城大手門控柱の継手」を用いた照明器具の斜視図。
【図８】図７に示される照明器具の各側面図。
【図９】「地獄ほぞ」を用いた照明器具の斜視図。
【図１０】図９に示される照明器具の各側面図。
【図１１】「箱栓」を用いた照明器具の斜視図。
【図１２】図１１に示される照明器具の各側面図。
【考案を実施するための形態】
【００２７】
以下、本考案の好適な実施形態を、図面を参照しつつ説明する。
【００２８】
＜１．構成＞
実施形態に係る照明器具１ａ〜１ｆについて、図１〜図１２を参照しつつ説明する。図１は、「追いかけ大栓継ぎ」を用いた照明器具１ａの斜視図であり、図２は、該照明器具１ａの各側面図（矢印Ａ方向から見た側面図（ａ）、矢印Ｂ方向から見た側面図（ｂ）、矢印Ｃ方向から見た側面図（ｃ）、および、矢印Ｄ方向から見た側面図（ｄ）。他の図４，６，８，１０，１２においても同様）である。図３は、「腰かけかま継ぎ」を用いた照明器具１ｂの斜視図であり、図４は、該照明器具１ｂの各側面図である。図５は、「柱継手」を用いた照明器具１ｃの斜視図であり、図６は、該照明器具１ｃの各側面図である。図７は、「大阪城大手門控柱の継手」を用いた照明器具１ｄの斜視図であり、図８は、該照明器具１ｄの各側面図である。図９は、「地獄ほぞ」を用いた照明器具１ｅの斜視図であり、図１０は、該照明器具１ｅの各側面図である。図１１は、「箱栓」を用いた照明器具１ｆの斜視図であり、図１２は、該照明器具１ｆの各側面図である。なお、図は省略しているが、図１〜図９、図１１、図１２から明らかなように、照明器具１ａ〜１ｄ，１ｆの底面は平坦な正方形状であり、上面は底面と合同の平坦な正方形状である。また、図１０、図１１から明らかなように、照明器具１ｅの底面は平坦な正方形状（照明器具１ａ〜１ｄ，１ｆの底面と合同の正方形状）であり、上面は、短辺の長さが該正方形の一辺と等しい平坦な長方形状である。
【００２９】
照明器具１ａ〜１ｆはいずれも、本体部１１と、支柱１２と、ベース部１３と、を備える。支柱１２およびベース部１３は本体部１１を所定の姿勢に支持するための部材であり、その形状やサイズは任意に規定することができる。図２等の例では、ベース部１３は本体部１１と略同一の断面形状を有する立方体状とされており、ベース部１３と本体部１１を連結する支柱１２は円筒状とされている。支柱１２およびベース部１３は、本体部１１（特に、後述する第１部材１１１と第２部材１１２の接合部分１１０）が成人の視線と同じか該視線よりも少し高い位置にくるように、各部の寸法が規定されていることが好ましい。
【００３０】
本体部１１は、第１部材１１１と、第２部材１１２と、光源１１３と、を備える。
【００３１】
第１部材１１１は、透光性を有する第１材料により形成される。ただし、「透光性を有する材料」は、光が透過できる材料であり、該材料により形成される部材の反対側や内部にあるものの全部あるいは一部が透けて見えるような材料を指す。この実施形態では、第１材料としてアクリル樹脂を用いる。アクリル樹脂は、透明性が高く、耐久性と衝撃に対する強度も具備しており、第１材料として好適である。
【００３２】
第２部材１１２は、第１材料と異なる第２材料により形成される。ここでいう「異なる材料」には、組成が異なる材料は勿論のこと、同じ組成であっても例えば結晶構造等が異なることにより物性（例えば屈折率）が異なる材料等も含まれる。特に、第２材料としては、第１材料と屈折率が異なるものが好ましい。また、第２材料としては、透光性を有しない材料（すなわち、光が透過できない材料）も好ましい。この実施形態では、第２材料として木材を用いる。木材は、アクリル樹脂と屈折率が異なる点、透光性を有さない点だけでなく、意匠的な観点からも、第２材料として好適である。
【００３３】
第１部材１１１および第２部材１１２の各々は、木造建築で用いられる日本の伝統的な技法である継手あるいは仕口の型に係る凹凸構造が形成された形状部分を有する。すなわち、両部材１１１，１１２が継手で接合される場合（図１〜図８、図１１、図１２）、第１部材１１１は、角柱状の部材であって、その一方の端部に、継手の一方の凹凸構造が形成されている。また、第２部材１１２は、第１部材１１１と合同の断面を有する角柱状の部材であって、その一方の端部に、該継手の他方の凹凸構造（すなわち、第１部材１１１に形成されている凹凸構造と嵌まり合う凹凸構造）が形成されている。また、両部材１１１，１１２が仕口で接合される場合（図９、図１０）、第１部材１１１は、角柱状の部材であって、その一方の端部に、仕口の一方の凹凸構造が形成されている。また、第２部材１１２は、角柱状の部材であって、その延在途中に、該仕口の他方の凹凸構造（すなわち、第１部材１１１に形成されている凹凸構造と嵌まり合う凹凸構造）が形成されている。伝統的な継手や仕口の型は無数に存在しているが、ここではどのような型が用いられてもよい。また、仕口の型が用いられる場合、凹凸構造は、第１部材１１１の延在途中と第２部材１１２の端部にそれぞれ形成されてもよいし、両部材１１１，１１２の延在途中にそれぞれ形成されてもよい。
【００３４】
各部材１１１，１１２を製作する方法はどのようなものであってもよく、該部材を形成する材料の特性や形成するべき凹凸構造に基づいて適宜に選択することができる。例えば、アクリル樹脂で形成される第１部材１１１の場合、機械加工、金型を用いた射出成形や真空成形、３Ｄプリンターを用いた成型、等の方法を採用することができる。また、木材で形成される第２部材１１２の場合、機械加工、切削工具を用いた手作業、等の方法を採用することができる。なお、各部材１１１，１１２は、単一のパーツから形成されてもよいし、複数のパーツの組み合わせから形成されていてもよい。例えば、図９、図１０に例示される照明器具１００ｅが備える第２部材１１２のように、延在方向に二分される半割構造を有していてもよい。
【００３５】
第１部材１１１および第２部材１１２は、継手あるいは仕口の型に係る凹凸構造が形成された部分が差されたり落とし込まれたりして嵌め合わされることによって、接合される。すなわち、本体部１１は、第１部材１１１と第２部材１１２が、木造建築で用いられる技法である継手あるいは仕口によって接合された構成を備える。例えば、図１、図２に示される照明器具１ａの本体部１１では、「追いかけ大栓継ぎ」とよばれる継手の型によって両部材１１１，１１２が接合されている。また、図３、図４に示される照明器具１ｂの本体部１１では、「腰かけかま継ぎ」とよばれる継手の型によって両部材１１１，１１２が接合されている。また、図５、図６に示される照明器具１ｃの本体部１１では、「柱継手」とよばれる継手の型によって両部材１１１，１１２が接合されている。また、図７、図８に示される照明器具１ｄの本体部１１では、「大阪城大手門控柱の継手」とよばれる継手の型によって両部材１１１，１１２が接合されている。また、図９、図１０に示される照明器具１ｅの本体部１１では、「地獄ほぞ」とよばれる仕口の型によって両部材１１１，１１２が接合されている。また、図１１、図１２に示される照明器具１ｆの本体部１１では、「箱栓」とよばれる継手の型によって両部材１１１，１１２が接合されている。
【００３６】
光源１１３は、第１部材１１１の中に光を透過させるような位置に配置される。より具体的には、光源１１３は、ここから出射された光の少なくとも一部が、第１部材１１１の中を透過して、直接にあるいは第１部材１１１の界面等で反射して間接に、第１部材１１１と第２部材１１２の接合部分１１０に照射されるような位置に配置される。この実施形態では、意匠的な観点から、光源１１３は、第１部材１１１に埋設される。具体的には例えば、支持柱１２の先端にこれと同軸に延びる筒状の光源保持具１１３１が固定され、その先端に光源１１３が取り付けられる。そして、第１部材１１１の一端側（継手あるいは仕口に係る凹凸構造が形成されている側の端部とは逆側の端部の側）に、光源保持具１１３１の全体が埋設される。
【００３７】
光源１１３は、具体的には例えば、ＬＥＤ（発光ダイオード）により構成される。この場合、ＬＥＤの指向性を利用して、第１部材１１１と第２部材１１２の接合部分１１０に向けて直接光が照射されるように光源１１３の向き等を調整することが好ましい。光源１１３には、これに電力を供給するためのケーブル（図示省略）が接続される。該ケーブルは、光源保持具１１３１の内部、支柱１２の内部、および、ベース部１３の内部に順に挿通されてベース部１３の外側に延出し、該外側に延出した部分にスイッチ、トランス、およびプラグ等が設けられる（いずれも図示省略）。このプラグが、商用電源のコンセントに差し込まれることにより、光源１１３に電力が供給される。
【００３８】
＜２．効果＞
照明器具１ａ〜１ｆにおいて光源１１３を点灯させると、光源１１３から出射されて第１部材１１１の中を透過した光により、第１部材１１１と第２部材１１２との接合部分１１０の内部構造（すなわち、継手あるいは仕口の内部構造）が露わになるので、継手や仕口の内部構造に現れている技術的、意匠的な価値を、誰もが簡単に味わうことができる。
【００３９】
特に、照明器具１ａ〜１ｆにおいては、第１部材１１１と第２部材１１２が異なる材料から形成されるので、両部材１１１，１１２の境界（すなわち、両部材１１１，１１２の接合部分１１０）が視認しやすいものとなる。
【００４０】
特に、照明器具１ａ〜１ｆにおいては、第１部材１１１と第２部材１１２が、屈折率が異なる材料から形成されている。したがって、光源１１３から出射されて第１部材１１１の中を透過した光が、第１部材１１１と第２部材１１２との接合部分１１０で反射することにより、該接合部分１１０の内部構造が照らし出される。したがって、継手や仕口の内部構造をより鮮やかに美しく見せることができる。
【００４１】
また、照明器具１ａ〜１ｆにおいては、第１部材１１１が高い透明性を有するアクリル樹脂により形成されるので、継手や仕口の内部構造を外部からクリアに見てとることができる。また、アクリル樹脂は、高い耐久性と衝撃に対する強度を有するため、照明器具１ａ〜１ｆの耐久性が高まると共に、その取り扱いも容易になる。
【００４２】
また、照明器具１ａ〜１ｆにおいては、第２部材１１２が木材で形成されるので、木造建築に使用されている継手や仕口の雰囲気を感じることができる。
【００４３】
また、照明器具１ａ〜１ｆにおいては、光源１１３がＬＥＤであるので、光源１１３の交換頻度を少なくすることができ、照明器具１ａ〜１ｆの発熱を抑えることができる。また、光源１１３の発熱による第１部材１１１の変形も抑制することができる。さらに、ＬＥＤの指向性を利用して、第１部材１１１と第２部材１１２との接合部分１１０に向けて直接光が照射されるようにすることで、接合部分１１０を浮かび上がらせるような視覚的効果をもたらすことができる。
【００４４】
また、照明器具１ａ〜１ｆにおいては、光源１１３が第１部材１１１に埋設されるので、照明器具１ａ〜１ｆの全体の外観をシンプルで美しいものとすることができる。
【００４５】
＜３．他の実施形態＞
上記の実施形態では、第１部材１１１を形成する第１材料としてアクリル樹脂を用いたが、第１材料はアクリル樹脂に限られるものではなく、例えば、ガラス、透光性を有する樹脂、透光性を有するセラミック、等を第１材料として用いてもよい。
【００４６】
上記の実施形態では、第２部材１１２を形成する第２材料として木材を用いたが、第２材料は木材に限られるものではなく、例えば、金属（鉄、アルミニウム、銅、等）、樹脂（好ましくは、透光性を有さない樹脂）、セラミック（好ましくは、透光性を有さないセラミック）、等を第２材料として用いてもよい。
【００４７】
上記の実施形態では、光源１１３としてＬＥＤを用いたが、光源１１３はＬＥＤに限られるものではなく、例えば、白熱電球、ハロゲンランプ、蛍光ランプ、等を光源１１３として用いてもよい。
【００４８】
上記の実施形態では、光源１１３は第１部材１１１に埋設されていたが、光源１１３は必ずしも第１部材１１１に埋設される必要はなく、光源１１３から出射された光の少なくとも一部が、第１部材１１１の中を透過等して第１部材１１１と第２部材１１２の接合部分１１０に照射されるような位置であれば、どこに設けてもよい。例えば、光源１１３は、第１部材１１１の表面に付設されてもよいし、本体部１１から離れた位置（例えば、筒状に形成される支柱１２の内部）に設けられてもよい。光源１１３を両部材１１１，１１２の接合部分１１０からできるだけ遠い位置（例えば、第１部材１１１における、継手あるいは仕口に係る凹凸構造が形成されている側の端部とは逆側の端部付近）に設けて、第１部材１１１中を光が通過する距離を長くとることで、照明器具１ａ〜１ｆの照明効果を高めることができる。
【００４９】
上記の実施形態では、本体部１１は、第１部材１１１と第２部材１１２が接合されたものとしたが、本体部１１は第１部材１１１と第２部材１１２の他に、これらの一方あるいは両方と、継手あるいは仕口によって接合された第３部材を備えてもよい。例えば、第１部材１１１の他端（第２部材１１２が接合されている側の端部と逆側の端部）に、第３部材（例えば、第２部材１１２と同じ材料からなる第３部材）を、継手あるいは仕口によって接合してもよい。また例えば、第２部材１１２の他端（第１部材１１１が接合されている側の端部と逆側の端部）に、第３部材（例えば、第１部材１１１と同じ材料からなる第３部材）を、継手あるいは仕口によって接合してもよい。この場合、第３部材の中に光を透過させる光源をさらに設けることも好ましい。
【００５０】
上記の実施形態において、第１部材１１１と第２部材１１２の接合部分１１０に薄膜層（例えば、反射膜）を介在させてもよい。
【００５１】
上記の実施形態においては、第１部材１１１と第２部材１１２が、互いに異なる材料から形成されるものとしたが、両部材１１１，１１２を同じ材料（すなわち、組成および物性が同じ材料）により形成してもよい。この場合であっても、例えば、第１部材１１１あるいは第２部材１１２の凹凸構造の形状部分の表面を粗面化することにより両部材１１１，１１２の接合部分１１０に僅かな隙間（空気層）が設けられるようにしておけば、光源１１３から出射された光を両部材１１１，１１２の接合部分１１０で反射させるようにすることができる。
【００５２】
上記の実施形態に係る照明器具１ａ〜１ｆにおいて、支柱１２およびベース部１３の形状は図示されるものに限らない。また、支柱１２およびベース部１３は必須の要素ではなく、これらのうちの一方あるいは両方を省略してもよい。
【００５３】
上記の通り、本考案に係る照明器具において用いられる継手や仕口の型は、上記の実施形態に係る照明器具１ａ〜１ｆで用いられている型に限らない。また、第１部材１１１および第２部材１１２の各部分の寸法（幅寸法、奥行き寸法、長尺方向の長さ、凹凸構造における各部分の寸法、等）や各部分の寸法の比率は、適宜に規定することができる。例えば、上記の実施形態に係る照明器具１ａ〜１ｆで用いられている型と同じ型であっても、各部の寸法の比率等が、図に例示されるものから適宜に変更されてもよい。
【００５４】
また、上記の実施形態や変形例に登場した各要素を、矛盾が生じない範囲で、適宜に組み合わせてもよい。その他の構成も、本考案の趣旨を逸脱しない範囲で種々変形が可能である。
【符号の説明】
【００５５】
１ａ〜１ｆ…照明器具
１１…本体部
１１１…第１部材
１１２…第２部材
１１０…接合部分
１１３…光源
１１３１…光源保持具
１２…支柱
１３…ベース部
【図１】
0003215974.tif 000003
【図２】
0003215974.tif 000004
【図３】
0003215974.tif 000005
【図４】
0003215974.tif 000006
【図５】
0003215974.tif 000007
【図６】
0003215974.tif 000008
【図７】
0003215974.tif 000009
【図８】
0003215974.tif 000010
【図９】
0003215974.tif 000011
【図１０】
0003215974.tif 000012
【図１１】
0003215974.tif 000013
【図１２】
0003215974.tif 000014